(57)【要約】  【課題】  流通元から流通先への商品流通の仲介を、より包括的に仲介できる商品仲介システム、商品仲介方法、及び商品仲介プログラムを提供する。  【解決手段】  ネットワーク１２により互いに通信可能なサーバー１４、流通元ＰＣ（流通元端末）１６及び仲介ＰＣ（仲介端末）１８と、仲介ＰＣ１８からデータ転送可能な携帯端末２０と、を利用して卸売業者（流通元）から小売業者（流通先）への商品流通の仲介を行なう商品仲介システム１０の携帯端末２０を、仲介ＰＣ１８から転送された取引データＢを記憶する取引データ記憶手段２２と、バーコードＣを読み取るバーコードリーダー（関係付けデータ読み取り手段）２４と、読み取ったバーコードに対応する取引データＢを表示する取引データ表示手段２６と、を備えて構成した。  【選択図】  図３
2006163800.tif 000002
【特許請求の範囲】
【請求項１】
ネットワークにより互いに通信可能なサーバー、流通元端末及び仲介端末と、前記仲介端末からデータ転送可能な携帯端末と、を利用して流通元から流通先への商品流通の仲介を行なう商品仲介システムであり、
前記サーバーが、複数の前記流通元端末に入力された商品の存否データ及び取引データを受信して記憶する仲介データ記憶手段と、該存否データ及び取引データを前記仲介端末へ転送する仲介データ転送手段と、を備え、
前記仲介端末が、前記存否データ及び取引データを受信し、各取引データと関係付けられる関係付けデータを付記した各存否データを記憶する存否データ記憶手段と、該取引データを該存否データから分割して前記携帯端末へ転送する取引データ分割手段と、を備え、
前記携帯端末が、前記仲介端末から転送された取引データを記憶する取引データ記憶手段と、前記関係付けデータを読み取る関係付けデータ読み取り手段と、該読み取った関係付けデータに対応する取引データを表示する取引データ表示手段と、を備えた商品仲介システム。
【請求項２】
前記関係付けデータがバーコードであり、前記関係付けデータ読み取り手段がバーコードリーダーである請求項１に記載する商品仲介システム。
【請求項３】
前記取引データが、前記流通元端末から更新可能である請求項１又は請求項２に記載する商品仲介システム。
【請求項４】
ネットワークにより互いに通信可能なサーバー、流通元端末及び仲介端末と、前記仲介端末からデータ転送可能な携帯端末と、を利用して流通元から流通先への商品流通の仲介を行なう商品仲介方法であり、
前記サーバーが、複数の前記流通元端末に入力された商品の存否データ及び取引データを受信して記憶するステップと、
前記サーバーが、前記存否データ及び取引データを前記仲介端末へ転送するステップと、
前記仲介端末が、前記存否データ及び取引データを受信し、各取引データと関係付けられる関係付けデータを付記した各存否データを記憶するステップと、
前記仲介端末が、前記取引データを前記存否データから分割して前記携帯端末へ転送するステップと、
前記携帯端末が、前記関係付けデータを読み取るステップと、
前記携帯端末が、前記読み取った関係付けデータに対応する取引データを表示するステップと、
を含む商品仲介方法。
【請求項５】
前記関係付けデータがバーコードであり、前記携帯端末が、バーコードリーダーにより該関係付けデータを読み取る請求項４に記載する商品仲介方法。
【請求項６】
前記サーバーが、前記取引データを前記流通元端末からの指令により更新するステップを含む請求項４又は請求項５に記載する商品仲介方法。
【請求項７】
ネットワークにより互いに通信可能なサーバー、流通元端末及び仲介端末と、前記仲介端末からデータ転送可能な携帯端末と、を利用して流通元から流通先への商品流通の仲介を行なうために、該携帯端末内に備えられた商品仲介プログラムであり、
前記携帯端末の備えるＣＰＵに、
前記仲介端末から転送された取引データを記憶するステップ、
前記各取引データと関係付けられる関係付けデータを読み取るステップ、
前記読み取った関係付けデータに対応する取引データを表示するステップ、
を実行させるための商品仲介プログラム。
【発明の詳細な説明】
【技術分野】
【０００１】
本発明は、酒類等の商品を流通元から流通先への商品流通の仲介を行なう商品仲介システム、商品仲介方法、商品仲介プログラムに関する。
【背景技術】
【０００２】
従来から商品を卸売業者等の流通元から小売店等の流通先へ納入することが行なわれている。この流通を仲介するシステムが本発明者によって既に案出されている（例えば、特許文献１参照）。このシステムによれば、好ましい取引条件を提示している卸売業者との取引を成立させることができる。しかし、仲介者が、全品について、より包括的に仲介できるようなシステムが求められている。
【特許文献１】特開２００２−１６３３４１号公報
【発明の開示】
【発明が解決しようとする課題】
【０００３】
本発明は、流通先において、流通元から流通先への商品流通の仲介を、より包括的に仲介できる商品仲介システム、商品仲介方法、及び商品仲介プログラムを提供することを目的とする。
【課題を解決するための手段】
【０００４】
本発明の商品仲介システムは、ネットワークにより互いに通信可能なサーバー、流通元端末及び仲介端末と、前記仲介端末からデータ転送可能な携帯端末と、を利用して流通元から流通先への商品流通の仲介を行なう商品仲介システムであり、前記サーバーが、複数の前記流通元端末に入力された商品の存否データ及び取引データを受信して記憶する仲介データ記憶手段と、該存否データ及び取引データを前記仲介端末へ転送する仲介データ転送手段と、を備え、前記仲介端末が、前記存否データ及び取引データを受信し、各取引データと関係付けられる関係付けデータを付記した各存否データを記憶する存否データ記憶手段と、該取引データを該存否データから分割して前記携帯端末へ転送する取引データ分割手段と、を備え、前記携帯端末が、前記仲介端末から転送された取引データを記憶する取引データ記憶手段と、前記関係付けデータを読み取る関係付けデータ読み取り手段と、該読み取った関係付けデータに対応する取引データを表示する取引データ表示手段と、を備えたことを特徴とする。
【０００５】
本明細書において、商品とは、酒、化粧品等の有体物の他、チケットの予約等のサービスの提供も含む。なお、これらの手段は、コンピューターのＣＰＵ又はメモリー等のハードウエア資源とメモリ等の記憶手段内のプログラムとによって構成され、上記各処理を自ら自動的に行なう。端末とは、ＣＰＵ及びメモリを含むＰＣ（パーソナルコンピューター）又は大型コンピューター等を言う。携帯端末とは、ＣＰＵ及びメモリを含み、流通先へ手で携帯できる寸法のものを言う。存否データとは、商品名及び写真等から構成され、その商品が存在することを明示する絶対的データである。取引データとは、価格及び納入期間等から構成され、随時更新される相対的データである。
【０００６】
本発明の商品仲介システムは、前記商品仲介システムにおいて、前記関係付けデータがバーコードであり、前記関係付けデータ読み取り手段がバーコードリーダーであることを特徴とする。
【０００７】
本発明の商品仲介システムは、前記商品仲介システムにおいて、前記取引データが、前記流通元端末から更新可能であることを特徴とする。
【０００８】
本発明の商品仲介方法は、ネットワークにより互いに通信可能なサーバー、流通元端末及び仲介端末と、前記仲介端末からデータ転送可能な携帯端末と、を利用して流通元から流通先への商品流通の仲介を行なう商品仲介方法であり、前記サーバーが、複数の前記流通元端末に入力された商品の存否データ及び取引データを受信して記憶するステップと、前記サーバーが、前記存否データ及び取引データを前記仲介端末へ転送するステップと、前記仲介端末が、前記存否データ及び取引データを受信し、各取引データと関係付けられる関係付けデータを付記した各存否データを記憶するステップと、前記仲介端末が、前記取引データを前記存否データから分割して前記携帯端末へ転送するステップと、前記携帯端末が、前記携帯端末が、前記仲介端末から転送された取引データを記憶するステップと、前記関係付けデータを読み取るステップと、前記携帯端末が、前記読み取った関係付けデータに対応する取引データを表示するステップと、を含むことを特徴とする。
【０００９】
本発明の商品仲介方法は、前記商品仲介方法において、前記関係付けデータがバーコードであり、前記携帯端末が、バーコードリーダーにより該関係付けデータを読み取ることを特徴とする。
【００１０】
本発明の商品仲介方法は、前記商品仲介方法において、前記サーバーが、前記取引データを前記流通元端末からの指令により更新するステップを含むことを特徴とする。
【００１１】
本発明の商品仲介プログラムは、ネットワークにより互いに通信可能なサーバー、流通元端末及び仲介端末と、前記仲介端末からデータ転送可能な携帯端末と、を利用して流通元から流通先への商品流通の仲介を行なうために、該携帯端末内に備えられた商品仲介プログラムであり、前記携帯端末の備えるＣＰＵに、前記仲介端末から転送された取引データを記憶するステップ、前記各取引データと関係付けられる関係付けデータを読み取るステップ、前記読み取った関係付けデータに対応する取引データを表示するステップ、を実行させることを特徴とする。
【発明の効果】
【００１２】
本発明の商品仲介システム、商品仲介方法、商品仲介プログラムによれば、仲介端末に取り込んだ存否データ及び取引データから、データ容量の少ない取引データのみを分割して携帯端末へ転送することにより、全ての商品に関するデータを携帯端末に取り込んで持ち歩くことができる。また、データ容量の大きい存否データは紙にプリントアウトする等して別途持ち歩くことができる。このため、この携帯端末と存否データをプリントアウトした紙を持ち歩くだけで、存否データから選択された商品の存否データを瞬時に表示させて、仲介の交渉を行うことができる。このため、より最適な仕入れが可能となる。また、流通元と流通先との全品の交渉権を持つことができる。これにより、全品について包括的に仲介の交渉を行うことができる。また、流通元としては、このシステムに参加していれば、今までに取引のない流通先から受注できる可能性がある。
【００１３】
また、関係付けデータ読み取り手段がバーコードリーダーである場合、容易に関係付けデータを読み込み、これに対応する取引データを瞬時に表示させて示すことができる。このため、仲介の交渉を迅速且つ円滑に進めることができる。
【００１４】
また、取引データが流通元端末から更新可能である場合、時価や在庫数等の日々変化するデータを随時更新して、適確な仲介交渉を行うことができる。
【発明を実施するための最良の形態】
【００１５】
本発明に係る商品仲介システム、商品仲介方法、及び商品仲介プログラムの実施形態について、図面に基づいて詳しく説明する。図１において、符号１０は本発明の商品仲介システムである。
【００１６】
本発明の商品仲介システム１０は、ネットワーク１２により互いに通信可能なサーバー１４、流通元ＰＣ（流通元端末）１６及び仲介ＰＣ（仲介端末）１８と、仲介ＰＣ１８からデータ転送可能な携帯端末２０と、を利用して卸売業者（流通元）から小売業者（流通先）への商品流通の仲介を行なう商品仲介システムである。
【００１７】
サーバー１４は、複数の流通元ＰＣ１６に入力された商品の存否データＡ及び取引データＢを受信して記憶する仲介データ記憶手段と、存否データＡ及び取引データＢを仲介ＰＣ１８へ転送する仲介データ転送手段と、を備えている。存否データＡは、図２に示すように、商品名Ａ（ａ）及び商品の写真Ａ（ｂ）等から構成される。取引データＢは、複数の卸売業者の価格や納期等から構成され、各流通元ＰＣ１６から適宜必要に応じて更新可能である。
【００１８】
仲介ＰＣ１８は、存否データＡ及び取引データＢを受信し、各取引データＢと関係付けられるバーコード（関係付けデータ）Ｃを付記した各存否データＡを記憶する存否データ記憶手段と、取引データＢを存否データＡから分割して携帯端末２０へ転送する取引データ分割手段と、を備えている。
【００１９】
携帯端末２０は、図３に示すように、仲介ＰＣ１８から転送された取引データＢを記憶する取引データ記憶手段２２と、バーコードＣを読み取るバーコードリーダー（関係付けデータ読み取り手段）２４と、読み取ったバーコードに対応する取引データＢを表示する取引データ表示手段２６と、を備えている。
【００２０】
よって、本発明の商品仲介プログラムは、携帯端末２０の備えるＣＰＵに、仲介ＰＣ１８から転送された取引データを記憶するステップ、各取引データと関係付けられるバーコードを読み取るステップ、読み取ったバーコードに対応する取引データを表示するステップ、を実行させるためのプログラムである。
【００２１】
このような商品仲介システム１０の作動について以下に説明することにより、本発明の商品仲介方法について説明する。
【００２２】
この商品仲介システム１０に参加しようとする卸売業者は、自己が保有する又は確保できる商品の存否データＡ及び取引データＢをサーバー１４へ送信して記憶させておく。一方、この商品仲介システム１０を利用して仲介の交渉をしようとする仲介者は、まず、仲介しようとする一定種類の複数の商品の存否データＡ及び取引データＢを自己の仲介ＰＣ１８に取り込む。そして、取引データＢは、取引データ分割手段が機能して、図４に示すように、分割されて携帯端末２０内へ転送される。転送方法は、接続コードであってもワイヤレス式であっても良い。また、仲介ＰＣ１８内に残った存否データＡには、夫々にバーコードが付加される。すなわち、仲介ＰＣ１８内には、複数の存否データＡ−１、Ａ−２、Ａ−３等によって存否データＡのデータベースＡＡが形成され、携帯端末２０内には、複数の取引データＢ−１、Ｂ−２、Ｂ−３等によって取引データＢのデータベースＢＢが形成される。データ容量の大きい存否データＡを仲介ＰＣ１８に残し、データ容量の小さい取引データＢを携帯端末２０に転送することにより、全商品の取引データＢを携帯端末２０へ取り込むことが可能となる。存否データＡは、仲介ＰＣ１８からプリントアウトされ、存否データ台帳が形成される。
【００２３】
次に、仲介者は、この存否データ台帳及び携帯端末２０を持って、小売業者を訪問する。小売業者には、まず、存否データ台帳を見せて存在する商品を確認してもらった上で、仕入れたい商品を選択してもらう。仲介者は、選択された商品の存否データＡ内に付加されているバーコードＣに、図２に示すように、携帯端末２０のバーコードリーダー２４を当てる。バーコードリーダー２４を当てると、バーコードリーダー２４がバーコードＣを読み込み、取引データ表示手段２６が機能し、バーコードＣに対応する取引データＢを取引データ記憶手段２２から検索して画面２８に表示する。例えば、存否データＡ−２を選択したならば、バーコードＣに対応して取引データＢ−２が表示される。取引データＢ−２には、複数の卸売業者の価格や納期等が含まれており、仲介者は、これを示しながら仲介の交渉を行なう。
【００２４】
以上、本発明の実施形態について図面に基づいて説明したが、本発明は図示したものに限定されない。
【００２５】
例えば、本発明の商品仲介システムによって扱う商品は酒類に限定されず、その他の商品であっても良い。多数種の商品について利用することにより、仲介者は業種にとらわれずに仲介の交渉を行うことができる。また、取引データ分割手段によって分割した取引データを、存否データと合体させても良い。
【００２６】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２７】
本発明の商品仲介システム、商品仲介方法、及び商品仲介プログラムによれば、清掃対象面積等に対応して清掃作業手順を自動的に決定して出力することができる。このため、作業者への作業手順の指示のために広く利用できる。
【図面の簡単な説明】
【００２８】
【図１】本発明の商品仲介システムの全体構成図である。
【図２】図１の商品仲介システムで使用する存否データと携帯端末との関係を示す図である。
【図３】図１の商品仲介システムの携帯端末の構成図である。
【図４】図１の商品仲介システムにおいて取引データが存否データから分割される状態を示す図である。
【符号の説明】
【００２９】
１０  商品仲介システム
１２  ネットワーク
１４  サーバー
１６  流通元ＰＣ（流通元端末）
１８  仲介ＰＣ（仲介端末）
２０  携帯端末
【図１】
2006163800.tif 000003
【図２】
2006163800.tif 000004
【図３】
2006163800.tif 000005
【図４】
2006163800.tif 000006